(57)【要約】【課題】放送番組を録画する際の利便性を向上し得る録画装置を提供する。【解決手段】放送信号Ｓｂを受信するチューナ１１と、チューナ１１によって受信された放送信号Ｓｂに基づく画像を録画する録画再生装置１９と、録画開始操作が行われたときに録画再生装置１９に対して録画を開始させる録画再生制御装置１８と、放送信号Ｓｂに含まれるＥＰＧデータＤｅを取得するデータ分離装置１２、ＥＰＧＤＢ格納装置１５およびＥＰＧ検索装置１６とを備え、録画再生制御装置１８は、録画開始操作が行われた時点における録画対象の放送番組の終了時刻をＥＰＧデータＤｅに基づいて特定すると共に、終了時刻が到来したときに録画再生装置１９に対して録画を停止させる。【選択図】図１
2008154001.tif 000002
【特許請求の範囲】
【請求項１】
放送信号を受信する受信部と、前記受信部によって受信された放送信号に基づく画像を録画する録画部と、録画開始操作が行われたときに前記録画部に対して録画を開始させる制御部とを備えた録画装置であって、
前記放送信号に含まれるＥＰＧデータを取得するＥＰＧデータ取得部を備え、
前記制御部は、前記録画開始操作が行われた時点における録画対象の放送番組の終了時刻を前記ＥＰＧデータに基づいて特定すると共に、当該終了時刻が到来したときに前記録画部に対して録画を停止させる録画装置。
【請求項２】
前記制御部は、前記録画開始操作が行われた後に録画の停止を取り消す取消操作が行われたときには、前記終了時刻の到来時において前記録画部に対して録画を停止させずに継続させる請求項１記載の録画装置。
【請求項３】
前記制御部は、前記録画開始操作が行われた後に録画を強制停止させる強制停止操作が行われたときには、その時点で前記録画部に対して録画を停止させる請求項１または２記載の録画装置。
【請求項４】
録画開始操作が行われたときに、録画装置の受信部によって受信された放送信号に基づく画像の録画を当該録画装置の録画部に対して開始させる録画方法であって、
前記録画開始操作が行われた時点における録画対象の放送番組の終了時刻を前記放送信号に含まれるＥＰＧデータに基づいて制御部に特定させ、当該終了時刻が到来したときに前記制御部に対して前記録画部による録画を停止させる録画方法。
【発明の詳細な説明】
【技術分野】
【０００１】
本発明は、録画開始操作に応じて画像を録画する録画装置、および録画開始操作に応じて録画装置の録画部に画像を録画させる録画方法に関するものである。
【背景技術】
【０００２】
この種の録画装置として、特開２００１−４５４１８号公報に開示された放送データ録画装置が知られている。この放送データ録画装置は、放送データ受信部、ＥＰＧデータ取得部、放送データ録画部および情報記録装置などを備えて構成されている。この放送データ録画装置では、録画の指示を入力したときに、放送データ録画部が情報記録装置を制御して、放送データ受信部によって受信された放送データを所定の記録メディアに録画させる。この場合、放送データ録画部は、情報記録装置を制御して、ＥＰＧデータ取得部によって取得されたＥＰＧデータに基づいて生成した放送データ管理用の情報管理テーブルを記録メディアに録画させる。
【特許文献１】特開２００１−４５４１８号公報（第３−４頁、第２図）
【発明の開示】
【発明が解決しようとする課題】
【０００３】
ところが、この放送データ録画装置には、以下の問題点がある。すなわち、この放送データ録画装置を含むＥＰＧデータを取得可能な従来の録画装置を用いて放送データを録画させる際には、一般的に、録画を希望する番組をＥＰＧデータを利用して予め登録してその番組の開始時刻から終了時刻まで自動的に録画を行わせる録画予約機能が用いられる。一方、録画予約をしていない番組の視聴中にその番組を録画したくなったときには、操作部（リモコン）の録画開始ボタンおよび録画停止ボタンを操作して録画開始と録画停止とを手動で行う方法が用いられる。しかしながら、この方法では、例えば、録画中（番組の放送中）に外出等の急用ができたときには、その時点で録画を停止せざるを得ないという不都合がある。この場合、録画を一旦停止させて、上記の録画予約機能を用いてその番組を録画対象の番組として登録することで、登録時点から放送終了までその番組を自動的に録画させる方法も考えられる。しかしながら、この方法では、操作が煩雑な上に、録画が一旦中断するという不都合が生じる。また、この種の録画装置に一般的に備えられているタイマ機能を用いて、指定した時間が経過するまで録画を継続させてその後に録画を停止させる方法も考えられる。しかしながら、この方法では、番組の終了時刻を調べて残り時間を計算する必要があり煩雑である。
【０００４】
本発明は、かかる問題点に鑑みてなされたものであり、放送番組を録画する際の利便性を向上し得る録画装置および録画方法を提供することを主目的とする。
【課題を解決するための手段】
【０００５】
上記目的を達成すべく本発明に係る録画装置は、放送信号を受信する受信部と、前記受信部によって受信された放送信号に基づく画像を録画する録画部と、録画開始操作が行われたときに前記録画部に対して録画を開始させる制御部とを備えた録画装置であって、前記放送信号に含まれるＥＰＧデータを取得するＥＰＧデータ取得部を備え、前記制御部は、前記録画開始操作が行われた時点における録画対象の放送番組の終了時刻を前記ＥＰＧデータに基づいて特定すると共に、当該終了時刻が到来したときに前記録画部に対して録画を停止させる。
【０００６】
また、本発明に係る録画方法は、録画開始操作が行われたときに、録画装置の受信部によって受信された放送信号に基づく画像の録画を当該録画装置の録画部に対して開始させる録画方法であって、前記録画開始操作が行われた時点における録画対象の放送番組の終了時刻を前記放送信号に含まれるＥＰＧデータに基づいて制御部に特定させ、当該終了時刻が到来したときに前記制御部に対して前記録画部による録画を停止させる。
【０００７】
この録画装置および録画方法によれば、録画開始操作が行われた時点における録画対象の放送番組の終了時刻を放送信号に含まれるＥＰＧデータに基づいて制御部が特定し、その終了時刻が到来したときに制御部が録画部による録画を停止させることにより、視聴中の放送番組を録画したくなったときには、録画開始操作を行うだけで、例えば、録画中に外出等の急用ができたとしても、その録画対象の放送番組を最後まで確実に録画でき、しかも放送終了後には録画を確実に停止させることができる。したがって、この録画装置および録画方法によれば、放送番組を録画する際の利便性を十分に向上させることができる。
【０００８】
また、本発明に係る録画装置は、前記制御部が、前記録画開始操作が行われた後に録画の停止を取り消す取消操作が行われたときには、前記終了時刻の到来時において前記録画部に対して録画を停止させずに継続させる。
【０００９】
この録画装置によれば、録画開始操作が行われた後に録画の停止を取り消す取消操作が行われたときには、終了時刻の到来時において録画部に対して録画を継続させることにより、例えば、録画対象の放送番組の次に放送される放送番組を録画したいときには、取消操作を行うだけで、録画対象の放送番組の終了後に録画開始操作を改めて行うことなく、次に放送される放送番組を連続して録画することができる。したがって、放送番組を録画する際の利便性を一層向上させることができる。
【００１０】
また、本発明に係る録画装置は、前記制御部が、前記録画開始操作が行われた後に録画を強制停止させる強制停止操作が行われたときには、その時点で前記録画部に対して録画を停止させる。
【００１１】
この録画装置によれば、録画開始操作が行われた後に録画を強制停止させる強制停止操作が行われたときには、その時点で録画部に対して録画を停止させることにより、例えば、録画中の放送番組が興味のないものであることに録画の開始後に気付いたときには、強制停止操作を行うことで、録画をその時点で停止させることができるため、放送番組を録画する際の利便性をさらに向上させることができる。
【発明を実施するための最良の形態】
【００１２】
以下、本発明に係る録画装置および録画方法の最良の形態について、添付図面を参照して説明する。図１に示すプロジェクションテレビ１（以下、単に「テレビ１」ともいう）は、本発明に係る録画装置を搭載したテレビの一例であって、放送番組（テレビ番組）の録画機能を備えている。具体的には、テレビ１は、同図に示すように、チューナ１１、データ分離装置１２、画像処理装置１３、表示装置１４、ＥＰＧ（Electronic Program Guide）ＤＢ（Database）格納装置（以下、「ＤＢ格納装置」ともいう）１５、ＥＰＧ検索装置１６、予約選択装置１７、録画再生制御装置１８、録画再生装置１９、タイマ２０および操作装置２１を備えて構成されている。なお、テレビ１は、実際には、音声処理装置および音声出力装置を備えて各種音声を出力可能に構成されているが、本発明の理解を容易とするため、その図示および説明を省略する。
【００１３】
チューナ１１は、本発明における受信部に相当し、予約選択装置１７からの指示信号Ｓｄおよび操作装置２１からの操作信号Ｓｏに従い、アンテナ１１ａで受信している放送波から指定されたチャンネルの放送信号Ｓｂを抽出する。データ分離装置１２は、放送信号Ｓｂから画像データＤｐを分離して画像処理装置１３および録画再生装置１９に出力すると共に、音声データおよびＥＰＧデータＤｅを分離して図外の音声処理装置およびＤＢ格納装置１５にそれぞれ出力する。なお、本発明の理解を容易とするため、以下の説明において音声データについての説明を省略する。この場合、ＥＰＧデータＤｅは、放送信号Ｓｂに含まれているデータであって、放送番組のチャンネル、放送日、放送開始時刻、放送終了時刻、番組名、サブタイトル、番組内容、出演者およびジャンル等を示すデータで構成されている。
【００１４】
画像処理装置１３は、データ分離装置１２から出力される画像データＤｐを処理して表示用データＤｉを表示装置１４に出力する。表示装置１４は、プロジェクタおよびスクリーンパネル（いずれも図示せず）を備えて構成されている。この場合、プロジェクタは、例えば、光源と、光変調素子としての液晶ライトバルブと、投射レンズとを備えて、画像処理装置１３から出力される表示用データＤｉに基づいて光変調した投射光をスクリーンパネルの背面側に投射する。また、スクリーンパネルは、プロジェクタからの投射光を受光して画像を表示する。ＤＢ格納装置１５は、データ分離装置１２から出力されるＥＰＧデータＤｅに基づいてＥＰＧＤＢを生成して内部の記憶領域に格納（記憶）する。
【００１５】
ＥＰＧ検索装置１６は、データ分離装置１２およびＤＢ格納装置１５と共に本発明におけるＥＰＧデータ取得部を構成し、予約選択装置１７および録画再生制御装置１８からの検索要求に応じて、ＤＢ格納装置１５に格納されているＥＰＧＤＢから指定されたＥＰＧデータＤｅを検索して取得し、予約選択装置１７および録画再生制御装置１８に出力する。予約選択装置１７は、操作装置２１からの操作信号Ｓｏに従い、視聴予約対象の放送番組および録画予約対象の放送番組についての予約情報Ｄｒ（放送開始時刻、放送終了時刻、チャンネルおよび番組名等）をＥＰＧデータＤｅに基づいて特定して記憶する。また、予約選択装置１７は、予約情報Ｄｒに基づき、視聴予約対象の放送番組および録画予約対象の放送番組が放送されるチャンネルの選局を指示する指示信号Ｓｄをチューナ１１に出力すると共に、表示用データＤｉの出力を指示する指示信号Ｓｄを画像処理装置１３に出力する。さらに、予約選択装置１７は、予約情報Ｄｒに基づき、録画開始や録画終了を指示する指示信号Ｓｄを録画再生制御装置１８に出力する。
【００１６】
録画再生制御装置１８は、本発明における制御部に相当し、予約選択装置１７から出力される指示信号Ｓｄに従って予約録画処理を実行する。また、録画再生制御装置１８は、後述するリモコン２１ａの録画開始ボタン２２ｄに対応する操作信号Ｓｏが操作装置２１から出力されたときには、選局されているチャンネルで放送されている放送番組（つまり表示装置１４に表示されている放送信号Ｓｂに基づく画像）の録画を開始させると共に、その放送番組の放送終了時に録画を自動停止させる自動録画停止処理３０（図３参照）を実行する。録画再生装置１９は、本発明における録画部に相当し、一例として、ハードディスク等の記録媒体を備えて構成されている。この場合、録画再生装置１９は、録画再生制御装置１８の制御に従い、放送番組の録画（画像データＤｐの記録）、および録画した放送番組（記録した画像データＤｐ）の再生を行う。なお、記録媒体としては、ＤＶＤやビデオテープ等の外部記録媒体を用いることもでき、これらの外部記録媒体に対して録画を行う構成を採用することもできる。
【００１７】
タイマ２０は、現在時刻を示す時刻データＤｔを予約選択装置１７および録画再生制御装置１８に出力する。操作装置２１は、リモコン２１ａおよび受光部２１ｂ（いずれも図２参照）を備えて構成されている。リモコン２１ａは、同図に示すように、電源ボタン２２ａ、予約ボタン２２ｂ、選局ボタン２２ｃ，２２ｃ・・、録画開始ボタン２２ｄ、録画停止ボタン２２ｅおよび自動停止取消ボタン２２ｆなどの各種ボタンを備えて構成され、これらのボタンが操作されたときに各ボタンに対応する赤外線信号Ｓｉを出力する。この場合、録画開始ボタン２２ｄを用いた操作が本発明における録画開始操作に相当する。また、自動停止取消ボタン２２ｆを用いた操作が本発明における取消操作に相当し、録画停止ボタン２２ｅを用いた操作が本発明における強制停止操作に相当する。受光部は、リモコン２１ａから出力された赤外線信号Ｓｉを受光して各ボタン（操作内容）に対応する操作信号Ｓｏをチューナ１１、予約選択装置１７および録画再生制御装置１８に出力する。
【００１８】
次に、テレビ１の全体的な動作について、図面を参照して説明する。このテレビ１では、リモコン２１ａの電源ボタン２２ａが操作されたときに、テレビ１を構成する各構成要素に電源が供給されて、各構成要素が作動を開始する。次いで、チューナ１１が、直前の電源切断時に選局されていたチャンネルの放送信号Ｓｂを抽出してデータ分離装置１２に出力する。続いて、データ分離装置１２が放送信号Ｓｂから画像データＤｐを分離して画像処理装置１３および録画再生装置１９に出力すると共に、放送信号ＳｂからＥＰＧデータＤｅを分離してＤＢ格納装置１５に出力する。次いで、画像処理装置１３が、画像データＤｐを処理して表示用データＤｉを表示装置１４に出力する。
【００１９】
続いて、表示装置１４のプロジェクタが、光源からの光を表示用データＤｉに基づいて投射光に変調してスクリーンパネルに投射する。これにより、図２に示すように、直前の電源切断時に選局されていたチャンネルで現在放送されている放送番組の画像が表示装置１４のスクリーンパネルに表示される。また、ＤＢ格納装置１５は、データ分離装置１２から出力されたＥＰＧデータＤｅに基づいてＥＰＧＤＢを生成して内部の記憶領域に格納する。次いで、他のチャンネルの放送番組を選択して視聴する際には、リモコン２１ａの選局ボタン２２ｃを操作して所望のチャンネルを選局する。この際に、チューナ１１は、選局ボタン２２ｃの操作に応じて操作装置２１から出力される操作信号Ｓｏに従い、選局されたチャンネルの放送信号Ｓｂを抽出して出力する。これにより、選局されたチャンネルにおける放送番組の画像が表示装置１４のスクリーンパネルに表示される。
【００２０】
次に、録画予約や視聴予約を行うときにはリモコン２１ａの予約ボタン２２ｂを操作する。この際には、予約選択装置１７が、操作装置２１から出力される操作信号Ｓｏに従って画像処理装置１３に指示信号Ｓｄを出力することにより、予約用の画面を表示装置１４に表示させる。次いで、予約用の画面の指示に従ってリモコン２１ａの各ボタンを操作して、所望の放送番組を選択する。この場合、予約選択装置１７は、タイマ２０から出力される時刻データＤｔに基づいて現在時刻を特定して、録画予約された放送番組の開始時刻が到来したときに、指示信号Ｓｄをチューナ１１および録画再生制御装置１８に出力する。これに応じて、チューナ１１がその放送番組が放送されるチャンネルの放送信号Ｓｂを抽出し、録画再生制御装置１８が録画再生装置１９を制御して、その放送信号Ｓｂから分離された画像データＤｐの記録（放送番組の録画）を開始させる。この場合、予約選択装置１７は、録画予約された放送番組の終了時刻が到来したときには、指示信号Ｓｄを録画再生制御装置１８に出力し、録画再生制御装置１８は、指示信号Ｓｄに従って録画再生装置１９を制御して録画を停止させる。
【００２１】
また、予約選択装置１７は、視聴予約された放送番組の開始時刻が到来したときには、指示信号Ｓｄをチューナ１１および画像処理装置１３に出力する。これに応じて、チューナ１１がその放送番組が放送されるチャンネルの放送信号Ｓｂを抽出し、画像処理装置１３がその放送信号Ｓｂから分離された画像データＤｐを処理して表示用データＤｉを出力する。これにより、視聴予約した放送番組の画像が表示装置１４に表示される。
【００２２】
ここで、例えば、視聴予約した放送番組や選局ボタン２２ｃの操作によって選局したチャンネルで放送されている放送番組の視聴中にその放送番組の録画を希望する場合、従来の録画装置においては、リモコンの録画開始ボタンを操作して、録画を開始させ、放送番組が終了したときに録画停止ボタンを操作して録画を終了させる方法が用いられる。しかしながら、例えば、録画中（その放送番組の放送中）に外出等の急用ができたときには、その時点で録画を終了させなければならないことがある。この場合、録画予約機能やタイマ機能を用いる方法も考えられるが、操作が煩雑なため、結局、録画を諦めざるを得ないことが多い。これに対して、このテレビ１では、録画開始ボタン２２ｄを操作するだけでその放送番組の放送終了時刻に録画を自動停止させることが可能となっている。具体的には、この機能を用いて視聴中の放送番組を録画する際には、操作装置２１におけるリモコン２１ａの録画開始ボタン２２ｄを操作する。この際に、操作装置２１が録画開始ボタン２２ｄに対応する操作信号Ｓｏを出力し、これに応じて、録画再生制御装置１８が図３に示す自動録画停止処理３０を実行する。
【００２３】
この自動録画停止処理３０では、録画再生制御装置１８は、まず、録画再生装置１９を制御して、データ分離装置１２から出力されている画像データＤｐの記録（放送番組の録画）を開始させる（ステップ３１）。次いで、録画再生制御装置１８は、現在選択されているチャンネルにおいて放送されている放送番組（以下、「録画対象番組」ともいう）に関するＥＰＧデータＤｅの検索を要求する信号をＥＰＧ検索装置１６に出力する（ステップ３２）。これに応じて、ＥＰＧ検索装置１６は、ＤＢ格納装置１５に格納されているＥＰＧＤＢを検索して、録画対象番組の放送終了時刻を含むＥＰＧデータＤｅを取得して録画再生制御装置１８に出力する。続いて、録画再生制御装置１８は、ＥＰＧデータＤｅに基づいて録画対象番組の放送終了時刻を特定する（ステップ３３）。
【００２４】
次いで、録画再生制御装置１８は、自動停止取消ボタン２２ｆに対応する操作信号Ｓｏが操作装置２１から出力されたか否かを判別する（ステップ３４）。この場合、録画再生制御装置１８は、その操作信号Ｓｏが出力されていないと判別したときには、録画停止ボタン２２ｅに対応する操作信号Ｓｏが操作装置２１から出力されたか否かを判別する（ステップ３５）。この際に、録画再生制御装置１８は、その操作信号Ｓｏが出力されていないと判別したときには、続いて、タイマ２０から出力されている時刻データＤｔに基づいて現在時刻を特定して、録画対象番組の放送終了時刻が到来したか否かを判別する（ステップ３６）。この場合、録画再生制御装置１８は、放送終了時刻が到来していないと判別したきには、ステップ３４〜３６を繰り返して実行する。
【００２５】
ここで、録画対象番組が終了するまでの間に自動停止取消ボタン２２ｆおよび録画停止ボタン２２ｅに対応する操作信号Ｓｏが出力されなかったとき、つまりユーザが両ボタン２２ｆ，２２ｅを操作することなく録画対象番組の放送が終了したときには、録画再生制御装置１８は、ステップ３６において放送終了時刻が到来したと判別して、録画再生装置１９を制御して録画対象番組の録画を停止させて（ステップ３７）、自動録画停止処理３０を終了する。このテレビ１では、このように、録画対象番組の終了時刻が到来したときに録画再生制御装置１８が録画を自動停止させる。このため、視聴中の放送番組を録画したくなったときには、録画開始ボタン２２ｄを操作することで、録画中に外出等の急用ができたとしても、その録画対象番組を最後まで確実に録画でき、しかも放送終了後には録画を確実に停止させることが可能となっている。
【００２６】
一方、例えば、上記した録画対象番組の次に、同じチャンネルで興味のある放送番組が引き続いて放送されることを録画対象番組の終了前に知り、上記した録画対象番組に引き続いて録画を継続させたいときには、リモコン２１ａの自動停止取消ボタン２２ｆを操作する。この際には、録画再生制御装置１８は、上記した自動録画停止処理３０のステップ３４において、操作装置２１から自動停止取消ボタン２２ｆに対応する操作信号Ｓｏが出力されたと判別して、録画再生装置１９に対して録画を継続させた状態で自動録画停止処理３０を終了する。このテレビ１では、このように、自動録画停止処理３０の実行中に自動停止取消ボタン２２ｆを操作することで、録画対象番組の終了後においても録画が継続される。このため、録画対象番組の次に放送される放送番組を録画したいときには、自動録画停止処理３０の終了後に録画開始操作を改めて行うことなく、次に放送される放送番組を連続して録画することが可能となっている。
【００２７】
また、例えば、上記した録画対象番組の内容があまり興味のないものであることに録画の開始後に気付いて、録画対象番組の終了前に録画を強制的に停止させたいときには、リモコン２１ａの録画停止ボタン２２ｅを操作する。この際には、録画再生制御装置１８が、上記した自動録画停止処理３０のステップ３５において、操作装置２１から録画停止ボタン２２ｅに対応する操作信号Ｓｏが出力されたと判別して、録画再生装置１９を制御して録画対象番組の録画を停止させて（ステップ３７）、自動録画停止処理３０を終了する。このテレビ１では、このように、自動録画停止処理３０の実行中に録画停止ボタン２２ｅを操作することで、録画が強制的に停止される。このため、上記したように録画中の放送番組が興味のないものであることに録画の開始後に気付いたときには、その時点で任意に録画を停止させることが可能となっている。
【００２８】
このように、このテレビ１および録画方法によれば、録画開始ボタン２２ｄが操作がされた時点における録画対象番組の終了時刻をＥＰＧデータＤｅに基づいて特定してその終了時刻が到来したときに録画再生装置１９に対して録画を停止させる自動録画停止処理３０を実行することにより、視聴中の放送番組を録画したくなったときには、録画開始ボタン２２ｄを操作するだけで、例えば、録画中に外出等の急用ができたとしても、その録画対象番組を最後まで確実に録画でき、しかも放送終了後には録画を確実に停止させることができる。したがって、このテレビ１によれば、放送番組を録画する際の利便性を十分に向上させることができる。
【００２９】
また、このテレビ１によれば、自動録画停止処理３０の実行中に自動停止取消ボタン２２ｆが操作されたときには、録画の停止を取り消して録画対象番組の終了時刻の経過後においても録画再生装置１９に対して録画を継続させることにより、例えば、録画対象番組の次に放送される放送番組を録画したいときには、自動停止取消ボタン２２ｆを操作するだけで、自動録画停止処理３０の終了後に録画開始操作を改めて行うことなく、次に放送される放送番組を連続して録画することができる。したがって、放送番組を録画する際の利便性を一層向上させることができる。
【００３０】
また、このテレビ１によれば、自動録画停止処理３０の実行中に録画停止ボタン２２ｅが操作されたときには、その時点で録画再生装置１９に対して録画を停止させることにより、例えば、録画中の放送番組が興味のないものであることに録画の開始後に気付いたときには、録画停止ボタン２２ｅを操作することで、録画をその時点で停止させることができるため、放送番組を録画する際の利便性をさらに向上させることができる。
【００３１】
なお、本発明は、上記の構成に限定されない。例えば、液晶ライトバルブを用いたプロジェクタを備えた表示装置１４を例に挙げて説明したが、液晶ライトバルブに代えて、ＤＭＤ（Digital Micromirror Device）を用いたプロジェクタを備えた構成を採用することもできる。なお、ＤＭＤは、米国テキサス・インスツルメンツ社の商標である。また、プロジェクタおよびスクリーンパネルを備えた表示装置１４に代えて、ＣＲＴ、液晶表示パネルおよびプラズマディスプレイ等を表示装置１４として採用することもできる。また、テレビに限定されず、表示装置１４を備えていないＶＴＲ、ＤＶＤレコーダおよびハードディスクレコーダ等の録画装置に本発明を適用することができる。
【図面の簡単な説明】
【００３２】
【図１】テレビ１の構成を示すブロック図である。
【図２】テレビ１の正面図である。
【図３】自動録画停止処理３０のフローチャートである。
【符号の説明】
【００３３】
１  テレビ、１１  チューナ、１２  データ分離装置、１５  ＥＰＧＤＢ格納装置、１６  ＥＰＧ検索装置、１８  録画再生制御装置、１９  録画再生装置、２１  操作装置、２２ｄ  録画開始ボタン、２２ｅ  録画停止ボタン、２２ｆ  自動停止取消ボタン、Ｄｅ  ＥＰＧデータ、Ｓｂ  放送信号
【図１】
2008154001.tif 000003
【図２】
2008154001.tif 000004
【図３】
2008154001.tif 000005